(57)【特許請求の範囲】
【請求項１】
棚板により相互に独立した収納空間を形成するように上下に区画され、各収納空間前面の開口部には開閉自在な扉を設けた宅配ボックスであって、前記収納空間の開口部にはその内側に沿って取り囲むように内壁を立設するとともに、該内壁端部を外向きに屈曲させてフランジ部が形成してあり、前記扉の外周に前記フランジ部および前記内壁を収納する外壁を形成することにより、扉を閉めた状態では各収納空間の開口部からの雨水等の侵入を防止できるようにした宅配ボックスの防雨構造において、
前記収納空間の開口部に設けた内壁およびフランジ部は、予めＬ字状断面に形成した板状部材を前記開口部の各辺ごとに用意し、各板状部材を組み付けて構成されており、かつ板状部材の上部材の両端には板状部材の縦部材の上端の上からかぶさるように折返しが形成されていることを特徴とする宅配ボックスの防雨構造。
【請求項２】
前記収納空間の開口部は、その上端に庇が形成され、該庇が前記扉の上端を覆うようにしたことを特徴とする請求項１記載の宅配ボックスの防雨構造。
【請求項３】
前記収納空間の開口部は、その底部には内壁およびフランジ部が存在しないようにしたことを特徴とする請求項１または２記載の宅配ボックスの防雨構造。
【請求項４】
前記開閉自在な扉は、扉の施錠・解錠を行なうダイヤル錠を内蔵し、このダイヤル錠の周囲に上下に首振り可能な防雨カバーを設けたことを特徴とする請求項１ないし３のいずれかに記載の宅配ボックスの防雨構造。
【発明の詳細な説明】
【技術分野】
【０００１】
本発明は、屋内はもちろん、屋外にも設置できるタイプの宅配ボックスに関し、宅配ボックスへの雨水の侵入を確実に防止することができるようにした宅配ボックスの防雨構造を提供しようとするものである。
【背景技術】
【０００２】
集合住宅あるいは共同住宅と呼ばれる住宅棟には、共同で使用する宅配ボックスが配置されることが多くなっている。このような宅配ボックスは、住宅棟の住人が使用しやすく、管理人が監視しやすいように、通常玄関ホールに配置している。この宅配ボックスは複数の収納室から構成されており、宅配業者が宅配ボックスの中のあいている収納室に荷物を入れるようになっている。
一方、収納室の側方にはダイヤル錠が配設されており、収納室が空の場合に配達に来た宅配業者は収納室の扉をあけて荷物を中に入れる。次に、ダイヤル錠で所定の数列の暗証番号を入力して施錠した後、配達伝票の空欄に宅配ボックスの扉番号と暗証番号を記入してポスト等に投函しておく。
【０００３】
配達先の入居者は、ポストに投函された配達伝票により自分宛に荷物が来ていることが分かり、配達伝票の空欄に記入した扉番号のダイヤル錠に暗証番号を入力して扉を開け、収納室から荷物を取り出す。荷物を取り出した後は扉を閉める。これにより、収納室が空の初期状態となり、他の入居者宛の荷物を保管することができるようになっている。
【０００４】
前述のように従来の宅配ボックスは居住棟の玄関ホールに設置されることが多い。ちなみに、玄関ホールがもともと大きい場合は問題がないが、玄関ホールに充分なスペースがないことがある。その場合、住宅棟の屋外に宅配ボックスを設けることが望まれるが、従来の宅配ボックスは外部への設置はほとんど考慮されておらず、雨が内部に浸入して収納物を汚損するばかりでなく、施錠手段などの故障の原因ともなる。
【０００５】
ところで、特開２００２−８５２４６号公報（特許文献１参照）には、上下に隣接する収納空間の間に棚板を開閉自在に設け、上下のいずれかの扉を閉めた状態で棚板の動きを規制する係止片を上下の扉にそれぞれ設けているので、上下いずれかの扉を閉めている状態では、扉に設けた係止片により棚板の動きを規制することができる。このようないわば機械的なインターロックで棚板の開閉の規制を行っているため、棚板用の電子錠を備えた従来のものとは異なり、コストを安価にでき、しかも屋外に設置する場合にも、防雨機能を施す場所も少なくなり、メンテナンスが容易で全体を低コスト化することができる宅配ボックスが提案されている。
【先行技術文献】
【特許文献】
【０００６】
【特許文献１】特開２００２−８５２４６号公報
【発明の概要】
【発明が解決しようとする課題】
【０００７】
上記特許文献１においては、隣接する収納空間の間に棚板を開閉自在に設け、上下のいずれかの扉を閉めた状態で棚板の動きを規制する係止片を上下の扉にそれぞれ設けるという、非常に複雑な構造を採用している。
しかしながら、宅配ボックスの防雨構造として求められているのは、各収納空間において確実な防雨機能をはたさせることができるということである。
本発明は上述の点に鑑み、確実な防雨構造を採用することにより屋外に設置可能で、しかも低コストで設置しうる宅配ボックスを提供することをその目的としている。
【課題を解決するための手段】
【０００８】
すなわち、本発明の宅配ボックスの防雨構造は、棚板により相互に独立した収納空間を形成するように上下に区画され、各収納空間前面の開口部には開閉自在な扉を設けた宅配ボックスであって、前記収納空間の開口部にはその内側に沿って取り囲むように内壁を立設するとともに、該内壁端部を外向きに屈曲させてフランジ部が形成してあり、前記扉の外周に前記フランジ部および前記内壁を収納する外壁を形成することにより、扉を閉めた状態では各収納空間の開口部からの雨水等の侵入を防止できるようにした宅配ボックスの防雨構造において、
前記収納空間の開口部に設けた内壁およびフランジ部は、予めＬ字状断面に形成した板状部材を前記開口部の各辺ごとに用意し、各板状部材を組み付けて構成されており、かつ板状部材の上部材の両端には板状部材の縦部材の上端の上からかぶさるように折返しが形成されていることを特徴とするものである。
【０００９】
本発明の宅配ボックスの防雨構造において、前記収納空間の開口部は、その上端に庇が形成され、該庇が前記扉の上端を覆うようにしたことをも特徴とするものである。
【００１０】
本発明の宅配ボックスの防雨構造において、前記収納空間の開口部は、その底部には内壁およびフランジ部が存在しないようにしたことをも特徴とするものである。
【００１１】
本発明の宅配ボックスの防雨構造において、前記開閉自在な扉は、扉の施錠・解錠を行なうダイヤル錠を内蔵し、このダイヤル錠の周囲に上下に首振り可能な防雨カバーを設けたことをも特徴とするものである。
【発明の効果】
【００１２】
本発明の宅配ボックスの防雨構造（請求項１）は、収納空間の開口部にはその内側に沿って取り囲むように内壁を立設するとともに、該内壁端部を外向きに屈曲させてフランジ部が形成してあり、前記扉の外周に前記フランジ部および前記内壁を収納する外壁を形成することにより、扉を閉めた状態では各収納空間の開口部からの雨水等の侵入を防止できるようにしたものである。
こうすることによって、防雨構造が単純でしかも防雨機能が非常に高く、屋外に設置した場合に防雨機能を施す場所が少ない（請求項３）ので、メンテナンスが容易で宅配ボックス全体を低コスト化することができる。
さらに、防雨構造が単純でしかも防雨機能が非常に高いため、収納空間の開口部と扉との接合箇所にパッキング等を施す必要がなく、その面でも耐久性が高くかつ低コストの宅配ボックスを提供することができるようになった。
【００１３】
本発明の宅配ボックスの防雨構造（請求項１）において、前記収納空間の開口部に設けた内壁およびフランジ部は、予めＬ字状断面に形成した板状部材を前記開口部の各辺ごとに用意し、各板状部材を組み付けて構成してあり、かつ板状部材の上部材の両端には板状部材の縦部材の上端の上からかぶさるように折返しが形成されている。したがって、各収納空間の開口部からの雨水等の侵入を確実に防止することが可能であり、しかも部材の加工が容易で組み付け作業を簡素化でき、一層低コスト化を図ることができる。
【００１４】
本発明の宅配ボックスの防雨構造（請求項４）において、前記開閉自在な扉は、扉の施錠・解錠を行なう暗証番号式のダイヤル錠を内蔵し、このダイヤル錠の周囲に上下に首振り可能な防雨カバーを設けたので、屋外に設置の場合に充分な防雨機能を有している上、ダイヤル錠の操作も防雨カバーを片手でも持ち上げながら簡単に行うことができ、操作性を損なうことなく宅配ボックスの開閉を行うことができる。
【図面の簡単な説明】
【００１５】
【図１】本発明の宅配ボックスの防雨構造を採用した宅配ボックスの正面図である。
【図２】その側面図である。
【図３】前記宅配ボックスの横断面図であり、（ａ）は扉を閉じた状態を、（ｂ）は扉をやや開いた状態を、（ｃ）は扉を完全に開いた状態を示す。
【図４】上段の収納空間の開口部を示し、扉を外した状態の正面図である。
【図５】上段の収納空間の開口部にフランジ部を取り付けた状態を示す正面図である。
【図６】宅配ボックスの防雨構造の要部拡大斜視図である。
【図７】上部フランジ部の板状部材の取り付け方法を示す要部拡大斜視図である。
【図８】上部フランジ部の板状部材を取り付けた状態を示す斜視図である。
【図９】側部フランジ部の板状部材を取り付けた状態を示す斜視図である。
【図１０】収納空間の開口部への扉の取り付け方法を示す分解斜視図である。
【図１１】次の段階の取付方法を示す斜視図である。
【図１２】収納空間の開口部へ扉を取り付けた状態を示す斜視図である。
【図１３】本発明の宅配ボックスの防雨構造を採用した宅配ボックスの斜視図である。
【図１４】ダイヤル錠の防雨カバーを持ち上げてダイヤル錠のキーを操作している状態の斜視図である。
【図１５】上段の宅配ボックスの扉を開いた状態を示す斜視図である。
【発明を実施するための形態】
【００１６】
次に、図面を参照しながら本発明の宅配ボックスの防雨構造の実施の形態を詳細に説明する。
図面は本発明の宅配ボックスの防雨構造の１実施例を示すものであり、図１ないし図６は防雨構造そのものを、図７ないし図９はフランジ部の取付過程を、図１０ないし図１２は収納空間の開口部への扉の取付過程を、そして図１３ないし図１５はダイヤル錠を解錠して扉を開ける過程をそれぞれ示している。
図１及び図２において、宅配ボックス１０のボックス本体１１は棚板１２により相互に独立した収納空間１３Ａ，１３Ｂを有し、それぞれの収納空間１３Ａ，１３Ｂ前面の開口部１３ａ，１３ｂには個々に扉１４Ａ，１４Ｂが開閉可能に取り付けられている。
そして、図３ないし図６に示すように、前記収納空間１３Ａ，１３Ｂの開口部１３ａ，１３ｂにはその内側に沿って取り囲むように内壁１５を立設するとともに、該内壁１５端部を外向きに屈曲させてフランジ部１６が形成してあり、開口部１３ａ，１３ｂ端面と内壁１５、およびそこから立ち上げたフランジ部１６とで導水溝２０が形成されることとなる。
【００１７】
次に、前記扉１４Ａ，１４Ｂはその外周に沿って、前記フランジ部１６および前記内壁１５を収納する外壁２１が内向きに形成してある。そしてこのように外壁２１を形成することにより、扉１４Ａ，１４Ｂを閉めた状態では各収納空間１３Ａ，１３Ｂの開口部１３ａ，１３ｂからの雨水等の侵入を確実に防止できるようなった。
ちなみに、一般的には前記扉１４Ａ，１４Ｂと収納空間１３Ａ，１３Ｂの開口部１３ａ，１３ｂとの当接部位にはパッキングを介在させているのであるが、本発明のように構成することにより前記パッキングはまったく不要とすることができる。
したがって、パッキングの経年劣化や損壊による防雨機能の低下やはなはだしい老朽化等の心配がない。
【００１８】
なお、ボックス本体１１の前記収納空間１３Ａの開口部１３ａは、図６に示すように上端に庇２２が形成されている。この庇２２は前記上部扉１４Ａの上端を覆うように張り出しており、前記収納空間１３Ａの開口部１３ａ上端へ雨水が集中しても、この庇２２で前記上部扉１４Ａの上端への雨水の集中を緩和することができる。
【００１９】
他方、ボックス本体１１の前記上段の収納空間１３Ａの開口部１３ａは、その底部には内壁１５およびフランジ部１６をあえて設けなくともよい。
すなわち、前記収納空間１３Ａの開口部１３ａの底部を開放しても、単に雨水はボックス本体１１の前記下段の収納空間１３Ｂの開口部１３ｂの上端の導水溝２０に導かれるだけである。
【００２０】
図７ないし図９は宅配ボックスの防雨構造における、内壁１５およびフランジ部１６の取付方法を説明するためのものである。
すなわち、予めＬ字状断面に形成した板状部材３１を前記収納空間１３Ａ，１３Ｂの開口部１３ａ，１３ｂごとに用意しておく。このような板状部材３１はアルミやステンレス等の金属板にプレス加工等を施したり、機能性樹脂を成形加工することによって簡単に準備することができる。
【００２１】
その上で、図７に示すように予め用意したＬ字状断面に形成した板状部材３１を、図８に示すように、まず上部材３１ｂ、次いで縦部材３１ａ，３１ａの順に前記開口部１３ａの各辺ごとにはめ込み、各板状部材３１を組み付けて固定する。図９は板状部材３１の取付が完了した状態を示す。
その際、上部材３１ｂの両端には縦部材３１ａ，３１ａの上端の上からかぶさるように折返し３１ｃが形成してあるので、雨水は上部材３１ｂで構成される導水溝２０から縦部材３１ａ，３１ａで構成される導水溝２０へ無理なく導かれ、各収納空間１３Ａ，１３Ｂの開口部１３ａ，１３ｂからの雨水等の侵入を確実に防止することができる。
【００２２】
図１０ないし図１２は、前記扉１４Ａ，１４Ｂの収納空間１３Ａ，１３Ｂの開口部１３ａ，１３ｂへの取付手順を示すものである。
先ず図１０に示すように、予め扉１４Ａ，１４Ｂの所定位置に蝶番４１を取り付けておき、図１１に示すようにＬ字形の連結板４２の端部を前記蝶番４１の軸に挿通し、連結板４２を扉１４Ａ，１４Ｂに対して回動可能となるよう連結する。その後連結板４２を収納空間１３Ａ，１３Ｂの開口部１３ａ，１３ｂの内側へ固定すればよい。
【００２３】
次に、図１３ないし図１５は、前記開閉自在な扉１４Ａ，１４Ｂの操作手順を示すものである。
すなわち、扉１４Ａ，１４Ｂは施錠・解錠を行なうダイヤル錠５１を内蔵し、このダイヤル錠５１の上部に設けた上枠５２には防雨カバー５３の上端が軸着されている。したがって防雨カバー５３はダイヤル錠５１の前面において前後に首振り可能であり、操作の際には下端を持ち上げて開いて操作することができ、また操作が終われば手を放すだけでダイヤル錠５１の前面を閉じた状態とすることができる。
【００２４】
つぎに図１３ないし図１５を参照して、宅配業者による荷物の配達と、利用者（入居者）の荷物の受け取りの動作について説明する。先ず、配達に来た宅配業者は空の収納空間１３Ａ，１３Ｂの扉１４Ａ，１４Ｂをあけて荷物を中に入れる。次に、ダイヤル錠５１で所定の数列の暗証番号を入力して施錠した後、配達伝票の空欄に宅配ボックス１０の扉番号と暗証番号を記入してポスト等に投函しておく。
【００２５】
配達先の入居者は、ポストに投函された配達伝票により自分宛に荷物が来ていることが分かるので、配達伝票の空欄に記入した扉番号のダイヤル錠５１に暗証番号を入力して扉１４Ａ，１４Ｂを開け、収納空間１３Ａ，１３Ｂから荷物を取り出す。荷物を取り出した後は扉１４Ａ，１４Ｂを閉める。これにより、収納空間１３Ａ，１３Ｂが空の初期状態となり、他の入居者宛の荷物を保管することができるようになっている。
【００２６】
本発明では、施錠手段としてダイヤル錠５１を採用した場合について説明したが、ダイヤル錠５１に代えて磁気カード、ＩＣカード（非接触型を含む）等を用いたカード式や、指紋や静脈等の認証式、その他の電子錠を使用することもでき、そのような場合でも防雨カバー５３が充分な防雨対策となるのである。
【産業上の利用可能性】
【００２７】
上記の実施形態では荷物の集配を行なう宅配業者の場合について説明したが、郵便配達人の書留（簡易書留を含む）の場合にも適用できるものである。すなわち、配達先の部屋番号を入力して扉を閉め、受領印部により受領書に受領印を捺印する。受領印に代えて、特定の受け取り番号ないし暗証番号をプリントアウトするようにしてもよい。
フォームの始まり
フォームの終わり
【符号の説明】
【００２８】
１０  宅配ボックス
１１  ボックス本体
１２  棚板
１３Ａ，１３Ｂ  収納空間
１３ａ，１３ｂ  開口部
１４Ａ，１４Ｂ  扉
１５  内壁
１６  フランジ部
２０  導水溝
２１  外壁
２２  庇
３１  板状部材
３１ａ，３１ａ  縦部材
３１ｂ  上部材
３１ｃ  折返し
４１  蝶番
４２  連結板
５１  ダイヤル錠
５２  上枠
５３  防雨カバー
【要約】      （修正有）【課題】確実な防雨構造を採用することにより屋外に設置可能で、しかも低コストで設置しうる宅配ボックスを提供する。【解決手段】棚板により相互に独立した収納空間１３Ａを形成するように上下に区画され、各収納空間前面の開口部１３ａには開閉自在な扉を設けた宅配ボックスであって、前記収納空間の開口部にはその内側に沿って取り囲むように内壁１５を立設するとともに、該内壁端部を外向きに屈曲させてフランジ部１６が形成してあり、前記扉の外周に前記フランジ部および前記内壁を収納する外壁を形成することにより、扉を閉めた状態では各収納空間の開口部からの雨水等の侵入を防止できるようにした宅配ボックスの防雨構造。【選択図】図６【図１】
0005769351.tif 000002
【図２】
0005769351.tif 000003
【図３】
0005769351.tif 000004
【図４】
0005769351.tif 000005
【図５】
0005769351.tif 000006
【図６】
0005769351.tif 000007
【図７】
0005769351.tif 000008
【図８】
0005769351.tif 000009
【図９】
0005769351.tif 000010
【図１０】
0005769351.tif 000011
【図１１】
0005769351.tif 000012
【図１２】
0005769351.tif 000013
【図１３】
0005769351.tif 000014
【図１４】
0005769351.tif 000015
【図１５】
0005769351.tif 000016